Podtech/llm-jp-corpus-v4-ja_patent huggingface dataset:
(57)【要約】【課題】折返片の折り曲げが戻らず、開口状態が確実に維持される陳列箱を提供する。【解決手段】底壁１４の周囲に前面板１、一対の側面板２及び後面板３を起立させ、前面板１から折り返す折返片７に添当片８を連設し、その先端に係合片１０を設け、側面板２に後向きのコ字状切込１１を形成し、開口に際して、折返片７と共に折り返した添当片８を側面板２の内面に重ね、係合片１０を切込１１に係合させる。折返片７の折り曲げが反発で戻ろうとすると、係合片１０が切込１１の端縁に押し付けられて抜け止めされるので、折返片７の折り曲げが戻ることがなく、開口した形状が保持される。【選択図】　図３
2004026238.tif 000002
【特許請求の範囲】
【請求項１】
底壁１４の周囲に前面板１、一対の側面板２及び後面板３を起立させ、前面板１から折返片７を折り返して開口させた状態で商品を陳列する陳列箱において、前記折返片７に添当片８を連設し、その先端に係合片１０を設け、側面板２に切込１１を形成し、開口に際して、折返片７と共に折り返した添当片８を側面板２の内面に重ね、係合片１０を切込１１に係合させることを特徴とする陳列箱。
【発明の詳細な説明】
【０００１】
【発明の属する技術分野】
この発明は、店頭での商品の陳列に使用する陳列箱に関するものである。
【０００２】
【従来の技術】
従来より、ディスカウントストア等の量販店において、多数段積み上げた状態で商品を陳列する箱として、図７に示すように、底壁５０の周囲に前面板５１、一対の側面板５２及び後面板５３を立設し、前面板５１の一部を開口させるものが使用されている。
【０００３】
このように開口させる際には、前面板５１の中央部から左右に切り開いた一対の折返片５４を両側へ折り返し、その折返片５４の先端に設けた突起５５を、前面板５１と側面板５２の稜部に設けた係合穴５６に挿入して、開口状態が維持されるようにする。
【０００４】
【発明が解決しようとする課題】
しかしながら、上記陳列箱では、製造時の寸法のばらつきにより折返片５４が短くなると、突起５５が係合穴５６から抜けて、折返片５４の折り曲げが戻り、開口状態の形状が保持されなくなる場合がある。
【０００５】
そこで、この発明は、折返片の折り曲げが戻らず、開口状態が確実に維持される陳列箱を提供することを課題とする。
【０００６】
【課題を解決するための手段】
上記課題を解決するため、この発明は、前面板から折り返す折返片に添当片を連設し、その先端に係合片を設け、側面板に切込を形成し、開口に際して、折返片と共に折り返した添当片を側面板の内面に重ね、係合片を切込に係合させるようにしたのである。
【０００７】
この陳列箱では、折返片の折り曲げが反発で戻ろうとすると、係合片が切込の端縁に押し付けられて、切込から抜け止めされるので、折返片の折り曲げが戻ることがなく、開口した形状が保持される。
【０００８】
【発明の実施の形態】
この発明の第１実施形態を図１乃至図４に基づいて説明する。
【０００９】
図１に示すように、この陳列箱のブランクでは、前面板１の両側に側面板２が連設され、一方の側面板２には後面板３及び継代片４が順次連設されている。前面板１及び後面板３の下縁には底板５が、各側面板２の下縁には底板６がそれぞれ連設されている。
【００１０】
前面板１には、上縁からの切目と、その下端から左右へ向かい、さらに斜め下方へ向かう切目により、左右一対の折返片７及び添当片８と、その下方に位置する下折片９とが設けられている。なお、これらの切目には、製函時に折返片７等が捲れないように、複数の繋部が設けられている。
【００１１】
各添当片８の先端には、２本の切目間に係合片１０が設けられ、各側面板２には後向きのコ字状切込１１が設けられている。下折片９の先端には突起１２が、前面板１と底板５の稜部には係合穴１３がそれぞれ設けられている。
【００１２】
このようなブランクを組み立てるには、図２に示すように、前面板１、一対の側面板２及び後面板３を角筒状に折り曲げ、継代片４を反対側の側面板２に貼り付けて周壁を形成し、底板５，６を一組ずつ貼り合わせ、対向する底板５同士を噛み合わせて底壁１４を形成する。
【００１３】
また、商品の陳列に際しては、図３及び図４に示すように、前面板１から折返片７を折り返し、折返片７と共に折り返した添当片８を側面板２の内面に重ね、係合片１０をコ字状切込１１に係合させ、下折片９を折り曲げて前面板１の内面に重ね、突起１２を係合穴１３に挿入して、下折片９の戻りを防止する。
【００１４】
このように前面板１を開口させると、折返片７の折り曲げが反発で戻ろうとしても、係合片１０がコ字状切込１１の端縁に押し付けられて、コ字状切込１１から抜け止めされるので、貼り付け等を行わなくても、折返片７の折り曲げが戻ることがなく、開口した形状が保持される。
【００１５】
次に、この発明の第２実施形態を図５及び図６に基づいて説明する。
【００１６】
この陳列箱のブランクでは、図５に示すように、底壁１４の周囲に前面板１、一対の側面板２及び後面板３が連設され、側面板２の両側に重合板１５を介して折返片７及び添当片８が順次連設され、折返片７は重合板１５よりも長くなっている。各添当片８の先端には、２本の切目間に係合片１０が設けられ、各側面板２には、それぞれ２個のコ字状切込１１が前後に向けて設けられている。
【００１７】
このようなブランクを商品の陳列用に組み立てるには、図６に示すように、底壁１４から前面板１、一対の側面板２及び後面板３を起立させ、重合板１５、折返片７及び添当片８を三角柱をなすように折り返して、重合板１５に前面板１及び後面板３を貼り付ける。
【００１８】
この組み立てに際し、係合片１０をコ字状切込１１に係合させると、折返片７の戻りが防止され、箱の四隅に重合板１５、折返片７及び添当片８からなる三角柱の構造が保持されるので、この陳列箱は大きな積上荷重に耐えることができ、重量物の陳列に適したものとなる。
【００１９】
【発明の効果】
以上のように、この発明に係る陳列箱では、折返片の折り曲げが反発で戻ろうとすると、係合片が切込の端縁に押し付けられて抜け止めされるので、折返片の折り曲げが戻ることがなく、開口した形状が保持され、簡単な作業で見栄えのよい陳列を行うことができる。
【図面の簡単な説明】
【図１】この発明に係る陳列箱の第１実施形態のブランクを示す図
【図２】同上の組立状態を示す斜視図
【図３】同上の開口状態を示す斜視図
【図４】同上の要部拡大断面図
【図５】この発明に係る陳列箱の第２実施形態のブランクを示す図
【図６】同上の組立状態を示す斜視図
【図７】従来の陳列箱を示す斜視図
【符号の説明】
１　前面板
２　側面板
３　後面板
７　折返片
８　添当片
１０　係合片
１１　切込
１４　底壁
【図１】
2004026238.tif 000003
【図２】
2004026238.tif 000004
【図３】
2004026238.tif 000005
【図４】
2004026238.tif 000006
【図５】
2004026238.tif 000007
【図６】
2004026238.tif 000008
【図７】
2004026238.tif 000009
(57)【要約】本発明は、衣類や食品の真空パック等に用いられる急速減圧装置に関し、加圧可能な容器内に貯蔵袋を収納し、アダプターを挿入された貯蔵袋を入れ、シーリングホルダーで同貯蔵袋の開口部を挟持し、同容器を閉じ、気密性のある状態にして、同容器を加圧により、容器内の気圧を外気圧より上げ、同貯蔵袋内の空気又は気体を、同アダプターを通じて排出する急速減圧装置を提供することを目的とする。【選択図】　　図２
2004026214.tif 000002
【特許請求の範囲】
【請求項１】
貯蔵袋の開口部へ空気等排出のためのアダプターを取り付けて、同貯蔵袋を密封できる気密性のある加圧可能な容器に収納し、同アダプターのついた同貯蔵袋の開口部を挟持し、手動又は他の動力源を利用して同容器内の圧力を高め、同貯蔵袋内にある空気又は気体を同容器外に排出させる急速減圧装置。
【請求項２】
請求項１に記載の急速減圧装置において、空気が外気より逆流しないように逆流防止機構のついた上記アダプターを使用した急速減圧装置。
【発明の詳細な説明】
【０００１】
【産業上の利用分野】本発明は、衣類や食品等の真空パック等に用いられる急速減圧装置に関する。
【０００２】
【従来の技術】一般に、真空パックを行なう場合は、衣類や食品等をポリエチレンのごときプラスチックフィルムから成る貯蔵袋に収納して、この貯蔵袋を密閉蓋付き容器に入れ、同容器を減圧するか、又は直接貯蔵袋にノズル等を挿入し中の空気を吸い取ることが行なわれている。
【０００３】
【発明が解決しようとする課題】上述のような従来の減圧手段では、まず負圧を発生させてその負圧によって貯蔵袋内の空気又は気体を減圧する方式である為、ポンプやその他の負圧発生装置を必要とし複雑で、その形状も大きくならざるをえなかった。
【０００４】本発明は、加圧可能な容器内に貯蔵袋を収納し、同容器内を加圧することにより、同貯蔵袋内を減圧する、急速減圧装置を提供することを目的とする。
【０００５】
【課題を解決するための手段】上述の目的を達成するため、本発明の急速減圧装置は、貯蔵袋の開口部へ挿入され同貯蔵袋内の空気または気体を排出させる逆流防止機構のついたアダプターと、同アダプターを挿入された同貯蔵袋の開口部を挟持しうるシーリングホルダーと、同貯蔵袋の収納が容易にでき、開閉可能で気密性のある、加圧可能な容器によって構成されていることを特徴としている。
【０００６】また、本発明の急速減圧装置は、上記容器内に、アダプターを挿入された貯蔵袋を入れ、シーリングホルダーで同貯蔵袋の開口部を挟持し、同容器を閉じ、気密性のある状態にして、同容器を加圧により、容器内の気圧を外気圧より上げ、同貯蔵袋内の空気又は気体を、同アダプターを通じて排出することを特徴としている。
【０００７】
【作用】上述の本発明の急速減圧装置では、まず上記加圧可能な容器を開き、その中に貯蔵袋をアダプターが挿入された状態で収納し、シーリングホルダーで同貯蔵袋の開口部を緊密に挟持し、同容器を閉じて気密性のある状態にしても、外気圧、同貯蔵袋の内圧、及び同容器内圧は同じである。
【０００８】通常、外気圧をＰ１とすると、貯蔵袋の内圧もＰ１、加圧可能な容器内圧もＰ１であるこの状態から、同容器を押さえＰ２を同容器内に発生させると、同容器内圧はＰ１＋Ｐ２となり、同容器内に収納されている同貯蔵袋の外皮にＰ１＋Ｐ２がかかるが、同貯蔵袋内圧はＰ１であるため、その差圧により外皮が同貯蔵袋の内側に押され、同貯蔵袋内の空気又は気体はアダプターを通じて外気に排出される。
【０００９】また逆流防止機構のついたアダプターと、上記貯蔵袋の開口部をシーリングホルダーで緊密に挟持されているため、一度排出された空気または気体は再び、同貯蔵袋に戻ることはない機構になっている。
【００１０】
【実施例】以下、図面により本発明の一実施例としての急速減圧装置について説明すると、図１は急速減圧装置を構成する部品図であり、図２は各部品を取り付けた急速減圧装置の概略的に示す外観図で、図３、図４、図５、図６、図７はその装置の使用手順を示す側断面図である。
【００１１】開閉可能で加圧可能な容器を開けて、真空パックしたい対象物品を入れた貯蔵袋に逆流防止機構のついたアダプターを差込み（図３参照）、同貯蔵袋の開口部をシーリングホルダーで緊密に挟持する（図４参照）。
【００１２】上記容器を閉じて気密性のある状態（図５参照）から、同容器を手等で押して加圧すると（図６参照）、上記貯蔵袋の中の空気または気体は上記アダプターを通じて外に排出される（図７参照）。
【００１３】十分に上記貯蔵袋の中から空気または気体が抜けたことを確認後、上記容器を開けるが、逆流防止機構のついた上記アダプターと上記シーリングホルダーにより同貯蔵袋内に外気の逆流は防止される。
【００１４】上記貯蔵袋内の対象物品と同貯蔵袋の開口部の間をクリップ等で外気の逆流を防止した後、上記シーリングホルダーとアダプターを同貯蔵袋から外し、上記容器から取り出し保管する。
【００１５】
【発明の効果】以上、詳述したように、本発明の急速減圧装置は負圧を利用したものではなく加圧によって貯蔵袋内の空気または気体を排出させるため、構造が簡単で、容易に作業でき、減圧のスピードも調節ができる。
【００１６】また貯蔵袋の外皮に均等に圧力がかかるため、空気または気体の抜けも良く、貯蔵袋内の減圧不足の場合は再度操作することが容易である。
【図面の簡単な説明】
【図１】本発明の一実施例としての急速減圧装置の各部品図である。
【図２】各部品を取り付けた急速減圧装置の概略的に示す外観図である。
【図３】図２の急速減圧装置の使用手順を示す側断面図である。
【図４】図２の急速減圧装置の使用手順を示す側断面図である。
【図５】図２の急速減圧装置の使用手順を示す側断面図である。
【図６】図２の急速減圧装置の使用手順を示す側断面図である。
【図７】図２の急速減圧装置の使用手順を示す側断面図である。
【符号の説明】
１　気密性のある加圧可能な容器
２　シーリングホルダー
３　アダプター
４　貯蔵袋
５　対象物品
【図１】
2004026214.tif 000003
【図２】
2004026214.tif 000004
【図３】
2004026214.tif 000005
【図４】
2004026214.tif 000006
【図５】
2004026214.tif 000007
【図６】
2004026214.tif 000008
【図７】
2004026214.tif 000009
(57)【要約】【課題】楽に移動出来、内容物を最後まで使い切ることの出来るポリタンクの提供。【解決手段】移動用取っ手１とキャスター３により、誰でも簡単に移動することが出来、４が傾むくことによって内容物を最後まで使い切り、７のくぼみでポンプを固定することの出来るポリタンク。【選択図】　　図１
2004026295.tif 000002
【特許請求の範囲】
【請求項１】
移動用取っ手、キャスターを設けることで、内容物があっても簡単に移動出来るポリタンク。
【請求項２】
底部に傾きを持つことで、内容物が低い方に移動するポリタンク。
【請求項３】
底部にくぼみを設けることで、内容物をポンプで給出する時、ポンプの先を安定させることが出来るポリタンク。
【発明の詳細な説明】
【０００１】
【発明の属する技術分野】
本発明は、内容物を入れた際に簡単に移動するためのポリタンクに関する。
【０００２】
【従来の技術】
既製品のポリタンクでは、ポリタンク内に内容物を入れた際、重量のため、女性、子供、老人は移動が大変である。さらに内容物が減るにつれ、ポリタンクを傾けなければ最後まで使い切ることが出来ない。また、内容物を給入、給出する際、使用するポンプが安定しないという問題がある。そこで、運搬するための荷車が別売りされている。
【０００３】
【発明が解決しようとする課題】
従来のポリタンクでは、持つ場所が本体の上部に一ヶ所あるだけで持ち運びが不便であり、底部が水平なので最後まで使い切る際、わざわざポリタンクを斜めにしなければならない。また、給入、給出に使用するポンプは固定されないため、安定した使用が出来ない。
【０００４】
そこで、本発明は楽に持ち運びが出来ると同時に、簡単に最後まで内容物を使い切ることが出来るポリタンクを提供するものである。
【０００５】
【課題を解決するための手段】
本発明のポリタンクは、片方に移動用キャスターを設けることによって、反対側に傾きを作り、その底部にポンプを固定するくぼみを設け、伸縮できる移動用取っ手を引き出し移動することが出来ることを特徴とする。
【０００６】
本発明のポリタンクは、移動用キャスターと、伸縮できる移動用取っ手と、ポンプを固定するくぼみとで構成することが出来る。
【０００７】
【発明の実施の形態】
２移動用ポリタンクは内容物が空の場合、８の取っ手を持って運ぶ。５給入口から内容物を入れ、給入後１０移動用取っ手の固定用フックを開示することで下より上部に１取っ手を９からスライドすることが出来、正常の位置まで引き上げた後１０移動用取っ手の固定用フックをかけて１取っ手を固定する。
【０００８】
ポリタンクの６の口より給入ポンプを入れ、くぼみの７にはめ込むことによってポンプを安定させる。
【０００９】
移動用キャスター３を設けることによって底部４が傾きを持つ。７方向に内容物が片寄るため、最後まで内容物を使い切ることが出来る。
【００１０】
【発明の効果】
本発明の移動用ポリタンクならば、移動用キャスター、移動用取っ手によって誰にでも簡単に移動することが出来る。
【００１１】
また、移動用キャスターを設けることによって出来た傾きにより、内容物を片方に傾け、最後まで使い切るように出来る。
【００１２】
さらに、底部に設けたくぼみに給入・出用ポンプを固定するので、使用の際ポンプが動かずに安定する。
【図面の簡単な説明】
【図１】本発明の移動用ポリタンクの立面図である。
【図２】本発明の移動用ポリタンクの側面図である。
【図３】本発明の移動用ポリタンクの側面図である。
【図４】本発明の移動用ポリタンクの底部詳細図である。
【符号の説明】
１：移動用取っ手
２：移動用ポリタンク
３：キャスター（移動用の車）
４：底部
５：給入口（給出口）
６：給入口（給出口）
７：給入・出ポンプのフレ止
８：取っ手
９：移動用取っ手のスライド枠
１０：移動用取っ手の固定フック
【図１】
2004026295.tif 000003
【図２】
2004026295.tif 000004
【図３】
2004026295.tif 000005
【図４】
2004026295.tif 000006
(57)【要約】【課題】型状保持の性能を持つ圧潰性ヒダで部分的に圧潰形状保持のヒダを提供すること。【解決手段】非周ヒダの強いヒダａと弱いヒダｂを交互に設け起点Ｃを中心に弱いヒダｂが圧力により圧潰し反転する事による減容するヒダ【選択図】　図１
2004026298.tif 000002
【特許請求の範囲】
【請求項１】
周を持たない非周ビタにおいて弱いヒダは起点を持ちしだいにヒダの巾が広くなるヒダがれん続し再び巾がせまくなり、終点を持つヒダでとなりに強い非周ヒダを対して設けることで外部の圧力により弱ヒダか圧潰し反転し形状保持をする圧潰性プラスチックヒダ。
【請求項２】
上部に注ぎ口を有し、注ぎ口の下部に起点を持ち下部に向い巾が広くなり底部をすぎ巾がせまくなり、終点を持つ周を持たないヒダのとなりにヒダのゆか強い、周をもたないヒダを置き弱いヒダが反転し形状保持することを特徴とする圧潰性ヒダを持つプラスチックボトル
【請求項３】
周を持たない非周ヒダにおいて弱いヒダは起点を持ちしだいに巾が広くなるヒダが連続し再ビ巾がせまくなり終点をを持つヒダで起点を強いヒダと弱いヒダで交互に位置するようにしたヒダが反転し形状保持をする、ヒダ。
【請求項４】
請求項１において下部に起点を持つ強いヒダと弱いヒダが多数交互に設けられ円こ状に圧潰し反転し形状保持をする圧潰性ヒダ
【請求項５】
請求項２のプラスチックボトルで上部に起点を持つ非周ヒダと下部に起点を持つ非周ヒダを交互に設したヒダが反転し形状保持をする圧潰性プラスチックボトル。
【発明の詳細な説明】
【０００１】
【発明の属する技術分野】
本発明はプラスチックのじゃばらに関するもので特に形状保持をするもので、非周に関する。
【０００２】
【従来の技術】
2004026298.tif 000003
に垂直断面が円形のものがあった。強いヒダと弱いヒダを交互に置き弱いヒダが反転し形状保持したが円周というかぎられた形状のためかぎられた用としか使いみちはなかった。
【０００３】
【発明が解決しようとする課題】
2004026298.tif 000004
いるのでボトルのように上部に注ぎ口が必ぜん的にあるものでも注ぎ口の下部の部分を減容し形状保持できる減容ボトルを提供できる。
【０００４】
本発明は上述の点を考慮してなされたもので、プラスチックの１部分を減容し形状保持を可能にするものである。
【０００５】
【課題解決のための手段】
上記目的達成のため、本発明では、非周のヒダの強いヒダと弱いヒダの不等辺ラムダを形成しヒダに起点を設けしだいに巾が広くなり連続しさらにしだいに巾がせまくなり終点する強いヒダと弱いヒダを不等辺ラムダ状に交互に設ける。
プラスチックの１部分を減容でき形状保持できる非周ヒダ
を提供するものである。
【０００６】
【発明の実施の形態】
図１および図２はヒダの起点Ｃと終点Ｇを同じとする強いヒダａと、弱いヒダタｂを交互にもったヒダの図で図２は図１の左側面図である。
【０００７】
この図に示すようにヒダは非周を形成し圧潰する方向は円弧である。形状保持は不等辺ラムダにより生じる、Ｃを起点とした弱いヒダｂとＣを起点とした強いヒダが接している。
【０００８】
図３は上部に注ぎ口のあるプラスチックボトルに応用したもので、ここでＦなる力を加えると弱いヒダｂが反転する。
【０００９】
図４はｂが反転してボトルの下部が減容し形状保持をした図である。
【００１０】図５は非周ヒダの起点が上部Ｃと下部Ｃ２、Ｃ３、に持つ減容プラスチックボトルの図で弱いヒダｂは６ヶ所有り減容率の高いボトルである。
【００１１】
図６は起点Ｃが左右にふり分けられた非周ヒダの強いものと弱いものが交互に連んだものである。
【００１２】
このように非周のヒダは組合わせの方法のちがいでいろいろな形や用途の応用が可能である。
【００１３】
非周ヒダの不等辺ラムダによる圧潰は起点、終点を中心として反転するので円弧状みに圧潰する。
【発明の効果】
本発明は上述のように、非周によるヒダの強いヒダと弱いヒダの交互に設けられたもので弱いヒダが強いヒダの中に反転することによる減容、形状保持ヒダを提供できる。
【００１４】
このヒダの減容は起点終点を中心として円弧状に圧潰する。
【図面の簡単な説明】
【図１】起点と終点を同じとする非周ヒダの不等ラムダによる圧潰性ヒダでａは強いヒダ、ｂは弱いヒダで反転する。Ｃは起点Ｇは終点Ｆは圧潰方向
【図２】図２は図１の左側面図
【図３】図３はプラスチックボトルに応用した実施例である。ａは強いヒダｂは弱いヒダ。
【図４】図４は図３が圧潰した時の図
【図５】図５は起点を上、下に設けた時の圧潰性プラスチックボトルの実施例である
【図６】図６は起点と終点を左右にふり分けた実施例。
【符号の説明】
ａ．非周ヒダで圧潰す方向に強いヒダ
ｂ　非周ヒダで圧潰す方向に弱いヒダ
【図１】
2004026298.tif 000005
【図２】
2004026298.tif 000006
【図３】
2004026298.tif 000007
【図４】
2004026298.tif 000008
【図５】
2004026298.tif 000009
【図６】
2004026298.tif 000010
(57)【要約】【課題】最後までティッシュをスムーズに取り出せかつ、残りの残数がわかりやすいティッシュケースを提供する。【解決手段】取り出し口のついた上箱（１）と、上箱よりサイズがひとまわり小さい下箱（２）の天板（３）との間でティッシュ（４）を重ね挟み込むティッシュケース。【選択図】　　図２
2004026294.tif 000002
【特許請求の範囲】
【請求項１】
取り出し口のついた上箱（１）と、上箱よりサイズがひとまわり小さい下箱（２）の天板（３）との間でティッシュ（４）を重ね挟み込むティッシュケース。
【発明の詳細な説明】
【０００１】
【発明の属する技術分野】
この発明は、最後までスムーズにティッシュを取り出せかつ、ティッシュの残りの残数もわかりやすい、大きさの違う容器を重ねるティッシュケースに関するものである。
【０００２】
【従来の技術】
従来、ティッシュの中身だけを収容する容器があった。
【０００３】
【発明が解決しようとする課題】
これは次のような欠点があった。
（イ）　　ティッシュが少なくなるとティッシュが沈み、ティッシュを取り出すのが大変難しかった。
（ロ）　　ティッシュが少なくなると、残りのティッシュの残数もわかりずらかった。
本発明は、これらの欠点を除くためになされたものである。
【０００４】
【課題を解決するための手段】
取り出し口のついた上箱（１）と、上箱よりサイズがひとまわり小さい下箱（２）の天板（３）との間でティッシュ（４）を重ね挟み込む。
本発明は、以上のような構成よりなるティッシュケースである。
【０００５】
【発明の実態の形態】
以下、本発明の実施例について説明する。
取り出し口のついた上箱（１）と、上箱よりサイズがひとまわり小さい下箱（２）の天板（３）との間で、ティッシュ（４）を重ね挟み込む。
本発明は以上のような構造で、ティッシュ（４）を取り出すたびに、重力のちからで上箱（１）と下箱（２）の天板（３）がティッシュ（４）を適度に挟み込む。これにより、上箱（１）がティッシュ（４）に常に密着し、最後までスムーズにティッシュ（４）を取り出す事ができる。
又、設置後、外から見える下箱（２）の厚みが中身のティッシュ（４）の厚みとほぼ同じため、ティッシュ（４）の残りの残数がわかりやすい。
尚、ポケットティッシュ（５）にも活用できる。
【０００６】
【発明の効果】
ティッシュを取り出すたびに、上箱が重力のちからでティッシュに常に密着し、最後までスムーズに取り出す事ができる。
又、外から見えている下箱の厚みと、中身のティッシュの厚みがほぼ等しいため、ティッシュの残数がわかりやすく補充がしやすい。
【図面の簡単な説明】
【図１】本発明の箱を重ねる前の斜視図である。
【図２】本発明の箱を重ねた後の斜視図である。
【図３】本発明の箱を重ねた後の側面断面図である。
【図４】本発明をポケットティッシュに活用した時の斜視図である。
【符号の説明】
１　上箱
２　下箱
３　天板
４　ティッシュ
５　ポケットティッシュ
【図１】
2004026294.tif 000003
【図２】
2004026294.tif 000004
【図３】
2004026294.tif 000005
【図４】
2004026294.tif 000006
(57)【要約】【課題】冷蔵庫内の冷水筒を誰にでも容易に注水できる横置き型冷水筒を提供する。【解決手段】容器（１）へ蛇口部（３ａ）と空気取入管（３ｃ）を付けた蛇口キャップ（３）を蓋体（２）に設けたことを特徴とする。【選択図】　図１ID=005005 HE=074 WI=154 LX=0000 LY=0000>
2004026296.tif 000002
【特許請求の範囲】
【請求項１】
容器（１）の開口部を蛇口部（３ａ）と空気取入管（３ｃ）を設けた蓋体（２）で密閉した冷蔵庫内横置き型冷水筒。
【発明の詳細な説明】
【０００１】
【発明の属する技術分野】
この発明は冷水筒の注出部に蛇口部分を設け、横置き型とし子供でも蛇口を捻るだけで容易に注水可能となる冷水筒に関するものである。
【０００２】
【従来の技術】
従来の冷蔵庫内の冷水筒では、内容液が多いため重く、注水時に持ち上げる力が必要となる。
【０００３】
【発明が解決しようとする課題】
これは次のような欠点があった。
イ、　　冷水筒は内溶液が多いため重い。
ロ、　　注水時に持ち上げる力が必要。
ハ、　　子供が容易に注水できない。
本発明は、以上の欠点を解決するためになされたものである。
【０００４】
【課題を解決するための手段】
容器（１）の口部を閉蓋する蓋体（２）に注出キャップ（３）で構成され、注出キャップ（３）には蛇口部（３ａ）に空気取入溝（３ｂ）が施されさらに空気取入管（３ｃ）を設ける。
本発明は、以上の構成よりなる冷蔵庫内横置き型冷水筒である。
【０００５】
【発明の実施の形態】
以下、本発明の実施の形態を説明する。
（イ）　　長方体からなる容器（１）の開口部に、蓋体（２）を設ける。
（ロ）　　蓋体（２）に注水キャップ（３）を取り付ける。
（ハ）　　注水キャップ（３）には蛇口部（３ａ）と空気取入管（３ｃ）を取り付ける。
本発明は、以上の構成よりなっている。
本発明を使用するときは、容器（１）に内溶液を入れ注水キャップ（３）をつけた蓋体（２）で密閉し、冷蔵庫内の棚部へ蛇口部が下にくるように横に寝かせて据え置く型に設置する。
使用時は蛇口部のコックを捻り、容器内の内溶液をコップ等に注水する。
この時、空気取入溝から空気取入管へ空気が容器（１）に取り込まれるためより注水しやすくした。
【０００６】
【発明の効果】
本発明を使用することによって、冷水筒に入った内溶液を重たい冷水筒を持ち上げることなく、子供でも容易に注水可能となる。
【図面の簡単な説明】
【図１】本発明の斜視図
【図２】本発明の分解斜視図
【図３】本発明の使用状態をしめす斜視図
【符号の説明】
１．容器
２．蓋体
３．蛇口キャップ
３ａ．蛇口部
３ｂ．空気取入溝
３ｃ．空気取入管
３ｄ．空気取入口
３ｅ．内容液出水口
【図１】
2004026296.tif 000003
【図２】
2004026296.tif 000004
【図３】
2004026296.tif 000005
(57)【要約】【目的】副作用がなく、尋常性ざ瘡の症状を改善する尋常性ざ瘡治療剤を提供する。【構成】乳酸菌の菌体内物質を有効成分とする副作用のない尋常性ざ瘡治療剤であり、ざ瘡の各皮膚表面の炎症症状を改善する。【選択図】　なし【特許請求の範囲】
【請求項１】
乳酸菌の菌体成分を主成分とする尋常性ざ瘡治療剤
【請求項２】
菌体成分の抽出方法として、１種類以上の溶菌酵素で溶菌処理した後、加熱処理を行うことである請求項１記載の尋常性ざ瘡治療剤
【発明の詳細な説明】
【０００１】
【発明の属する技術分野】
本発明は、乳酸菌の菌体成分を原料とした尋常性ざ瘡治療剤に関するものである。
【０００２】
【従来の技術】
尋常性ざ瘡治療剤は、主に思春期前後から発症する脂腺性毛包の慢性炎症性疾患である。近年では、２０代以上の年齢においても性別を問わず増加していると推測されている。この疾患は、顔面、胸部、背部に好発し毛嚢一致性の常色から紅色丘疹より発症し、面皰、膿皰を形成、色素沈着や小瘢痕を残し消退する。
【０００３】
尋常性ざ瘡発症の詳細は不明であるが、アンドロゲンの分泌増加、皮脂分泌の亢進、毛包漏斗部の角化異常に起因する毛孔の狭窄による面皰形成、さらにはＰｒｏｐｉｏｎｉｂａｃｔｅｒｉｕｍ　ａｃｎｅｓ（Ｐ．ａｃｎｅｓ）などの毛包内細菌により産生されるリパーゼやプロテアーゼなどの菌体外酵素や好中球遊走因子などの炎症性物質により炎症が惹起される。その治療には、毛孔を塞いでいる角質を除去しＰ．ａｃｎｅｓの増殖を抑制するためにイオウ、サリチル酸、レゾルシンや各種抗菌剤、さらには皮脂分泌抑制の目的でビタミンＢ２・Ｂ６やホルモン剤のなどが使用されている。
【０００４】
尋常性ざ瘡治療においては、通常再燃再発を繰り返すことが多いことから、適切な治療によって症状を軽快もしくは安定した状態にする必要がある。
【０００５】
【発明が解決しようとする課題】
本発明は、尋常性ざ瘡の外観的障害を改善し、かつ副作用のみられない薬剤を提供することを課題とする。
【０００６】
【課題を解決するための手段】
乳酸菌には免疫賦活作用、血圧降下作用等いろいろな作用のあることが知られている。乳酸菌の一種であるエンテロコッカス属に属する菌体は、抗アレルギー作用を有することが知られている（特許第３０４０７４４号）。また、皮膚疾患である酒さに対しても有効であることが知られている（特許第２９４４６６２号）。
【０００７】
そこで本発明者らは、乳酸菌を抽出処理した菌体成分を、慢性化し、治療が困難な尋常性ざ瘡患者に対して飲用試験を行った結果、尋常性ざ瘡の皮膚症状を短期間で改善し、さらに副作用のないことを明らかにした。
【０００８】
この発明に使用する乳酸菌はラクトバチルス属、ビフィドバクテリウム属、エンテロコッカス属など、一般的に乳酸菌と呼ばれるものであれば、どの菌体でも良く、また、ＡＴＣＣ、ＩＦＯ、ＪＣＭなどの国内、国際分譲機関から取り寄せることが可能である。これらの菌体は食品中に一般的に存在している菌体、または食品製造に用いられる菌体、もしくは健常者の糞便から分離した菌体であることから、副作用の危険性はない。
【０００９】
この発明でもちいる溶菌酵素は、アクチナーゼ、ザイモリアーゼ、キタラーゼ、リゾチーム、ムタノリシン、アクロモペプトダーゼ等の細菌類を溶菌するために普遍的に用いられているものであれば、種類を問わず、２種類以上の酵素を混合して用いることも可能である。また、酵素処理後に細胞内容物を完全に抽出するために熱処理を行う。熱処理条件としては、１００℃以上であればかまわないが、抽出効率を考えるとオートクレーブ処理ができる温度（１１０℃〜１２５℃）が望ましい。また、超音波処理、フレンチプレスなどの物理的な方法を用いて、細胞壁を破壊することもできる。
【００１０】
この細胞壁を破壊した乳酸菌菌体を製剤にするには、デンプン、乳糖、大豆蛋白等の担体、賦形剤、崩壊剤、滑沢剤、安定剤および橋味橋具剤等の公知の添加物を用いて周知の方法で錠剤や顆粒剤に製剤される。
【００１１】
使用量は、症状、年齢等により異なるが、有効成分つぃて１日０．００２〜０．１ｇ／ｋｇ体重を成人に対して１日１回又は数回に分けて投与することができる。
【００１２】
【実施例】実施例１．溶菌処理および加熱処理をした菌体標品の作成法
エンテロッコカス・フェカリス（Ｅｎｔｅｒｏｃｏｃｃｕｓ　ｆａｅｃａｌｉｓ）ＮＦ−１０１１（微工研菌寄第１２５６４号）を以下に示す組成のロゴサ液体培地に接種し、３７℃で１０〜１６時間培養した。得られた培養液を遠心分離（１２，０００×ｇ、２０分間）して集菌し、アクチナーゼを終濃度０．１ｍｇ／ｍｌ量添加し、３７℃で４時間処理後１１０℃で１０分間加熱処理した。この懸濁液を乾燥して乾燥処理菌体標品（以下、菌体標品）を得た。
【００１３】
2004026670.tif 000002
【００１４】実施例２．臨床例１
皮膚科の病院に通院している尋常性ざ瘡と診断された患者２０名に、実施例１の方法で作製した菌体標品を含んだ製剤２ｇ（菌体標品；０．５ｇ）を毎日２包飲用していただいた。試験開始日および試験最終日（２８日目）に、試験担当医がざ瘡の各皮膚症状（面皰、丘疹、膿疱、結節）について、図１に従って４〜０の４段階で評価した。
【００１５】
試験開始日での面皰、丘疹、膿疱および結節の評価はそれぞれ１．５、３．０、１．２および０．６であった。これに対し試験２８日目にはそれぞれ０．５、１．４、０．６および０．４を示した。一方、飲用期間中に試験試料飲用に起因すると考えられる副作用は認められなかった。
【００１６】
このことから、本発明の尋常性ざ瘡治療剤は症状が安定した状態にある患者に対して有効に作用して、面皰、丘疹、膿疱、結節といった各種ざ瘡の症状を改善する作用が証明された。
【００１７】
【発明の効果】
本発明剤に用いる乳酸菌の細胞壁を破壊した菌体は、スキンケア製品による皮膚への刺激や、薬剤による効果と副作用の兼ね合いが難しい尋常性ざ瘡治療に対して、外観的症状を改善する効果が強いことから、有効な尋常性ざ瘡治療剤として用いることができる。また、副作用が無いため安心して飲用することができ、現在行われている治療法を併用することも可能である。
【図面の簡単な説明】
【図１】各皮膚症状（面皰、丘疹、膿疱、結節）の個数による評価を表した図ある。
【図２】各皮膚症状における飲用開始日と飲用２８日目の評価を比較した図である。
【図１】
2004026670.tif 000003
【図２】
2004026670.tif 000004
(57)【要約】【課　題】この発明は今まで各メーカーとも頭薬１の付いたマッチ軸木２が途中で消火するマッチ軸木に莫大な研究費を費やして研究したが　解決しなかった。一度発火したマッチ軸木等は燃焼性物質で出来ているため途中消火は極めて困難な事がゆえんであった。【解決手段】頭薬１の付いたマッチ軸木２もしくは経木、紙、板紙等の下部Ｂに難燃液３を長さに関係なく浸透及び塗布することにより発火した軸木が燃焼性物質にもかかわらず頭薬のついた軸木中部Ａが燃焼しても軸木の下部Ｂで消火する、マッチ軸木等部分難燃液３加工は完成する。【選択図】なし【特許請求の範囲】
【請求項１】
（イ）頭薬１の付いたマッチ軸木２もしくは経木、板紙、紙等の形態に関係なく
燃焼性物質で出来た軸を設ける。
（ロ）マッチ軸木２もしくは軸等の下部Ｂに長さに関係なく難燃液３を浸透もし
くは塗布する。
（ハ）難燃液３を浸透及び塗布された頭薬１の付いたマッチ軸木２もしくは軸等
の中部Ａは燃焼されても下部Ｂは消火されて燃焼をくい止める。
請求項１のマッチ軸木等部分難燃加工。
【発明の詳細な説明】
【０００１】
【発明の属する技術分野】
この発明は頭薬１の付いたマッチ軸木２及び経木、紙、板紙、軸等の下部Ｂに難燃液３を長さにかかわらず浸透もしくは塗布してなるマッチ軸木等の難燃加
工である。
【０００２】
【従来の技術】
従来の頭薬の付いたマッチ軸木はケース外面に塗布した外薬と摩擦させて発火した軸木は素手のまま持った指先まで瞬時のうちに軸木下部まで燃えて慌てて消すか指を離すしかなかったため火災の原因でも有った、旧態依然殆ど今日ま
で変化なく行なわれて来た。
【０００３】
【発明が解決しようとする課題】
したがって各メーカーともこの頭薬の付いたマッチ軸木の下部まで燃えない途中で自然消火を莫大な研究費と試作費を費やして研究したが解決しなかった。本発明は頭薬の付いたマッチ軸木に難燃液を浸透もしくは塗布することで自然的に消火させ燃焼をくい止めることが出来る長年の悲願を解決した安全なマッ　チ軸木を消費者の強い要望にこたえるために発明されたものである。
現在市販されている頭薬の付いたマッチ軸木と比べて美観を損うことなく殆ど見分けることは出来ない。そのほか製造工程はそれほど難しくなく、その費用
も安全性を考慮すれば極めて低廉である。
【０００４】
【課題を解決するための手段】
いまその構成を説明すると、
（イ）頭薬１の付いたマッチ軸木２もしくは経木、紙、板紙等の軸を設ける。
（ロ）頭薬１の付いたマッチ軸木２及び燃焼性物質で出来た軸等の下部Ｂに長さに関係なく難燃液３を浸透もしくは塗布することで軸木中部Ａは燃焼して
も自然的に消火するマッチ軸木２が完成する。
【０００５】
【発明の実施の形態】
次に本発明の形態を述べると、
頭薬１の付いたマッチ軸木２もしくは経木、紙、板紙で出来た軸を設ける。
植物等の軸を用いてもその効果に変りはない。
頭薬１にマッチ軸木２に難燃液３を下部Ｂに長さに関係なく浸透もしくは塗布してなるマッチ軸木等部分難燃加工。以上の如く形成される。
【０００６】
【発明の効果】
なお、以上の例において頭薬１軸木２の下部Ｂに難燃液３を長さに関係なく浸透もしくは塗布することに依って頭薬１とケース外側に塗布した外薬を摩擦して発火したマッチ軸木２の下部で自然的に消火するため指で持っていても火傷する心配はない。市販されている従来のマッチ軸木等は一度発火すると下部まで完全に燃焼するためマッチ軸木を指でそのまま持ち続けることが出来ないた
め、手首を振って消火するか息をかけて消火する方法しかなかった。
したがって本発明は中部Ａは燃焼しても下部Ｂは消火するため火傷の恐れのない安全に使用できるマッチ軸木は一般社会に大きく貢献出来るものである。
【図面の簡単な説明】
【図１】本発明の正面図
【図２】本発明の正面図
【図３】本発明の正面図本発明の他実施例の図面
【符号の説明】
１は頭薬
２はマッチ軸木
３は難燃液
Ａは中部
Ｂは下部
【図１】
2004026622.tif 000002
【図２】
2004026622.tif 000003
【図３】
2004026622.tif 000004
(57)【要約】　【課題】　ビフィズス菌を経口的に服用後腸内において増殖させる手段を提供する。　【解決手段】　ビフィズス菌に、ビタミンＢ２、ビタミンＢ６及びビタミンＣを配合することによるビフィズス菌の増殖促進方法、ビタミンＢ２、ビタミンＢ６及びビタミンＣを含有する、ビフィズス菌の増殖促進剤、並びにビフィズス菌、ビタミンＢ２、ビタミンＢ６及びビタミンＣを含有する組成物又はチュアブル剤。【選択図】　なし【特許請求の範囲】
【請求項１】
　ビフィズス菌に、ビタミンＢ２、ビタミンＢ６及びビタミンＣを配合することによるビフィズス菌の増殖促進方法。
【請求項２】
　ビタミンＢ２、ビタミンＢ６及びビタミンＣを含有する、ビフィズス菌の増殖促進剤。
【請求項３】
　ビフィズス菌、ビタミンＢ２、ビタミンＢ６及びビタミンＣを含有する組成物。
【請求項４】
　ビフィズス菌、ビタミンＢ２、ビタミンＢ６及びビタミンＣを含有するチュアブル剤。
【発明の詳細な説明】
【技術分野】
【０００１】
　本発明はビフィズス菌を含有する組成物及びチュアブル剤、並びにビフィズス菌の増殖促進方法及び増殖促進剤に関する。
【背景技術】
【０００２】
　ビフィズス菌、乳酸菌は腸内細菌叢のいわゆる善玉菌であり、便秘、腹部膨満感の改善等の整腸作用を有するため医薬品又は食品として飲料や錠剤等の形態として広く服用されている。乳酸菌等を含有した組成物としては、特許文献１に、凍結乾燥された納豆菌、乳酸菌、酵母、ビタミン類及び糖分が混和され固形化された食品が開示され、また、特許文献２には、乳酸菌、糖化菌及び酪酸菌を有効成分とする３種菌共生混合物が開示されている。更に、特許文献３には、納豆菌、乳酸菌、オリゴ糖、玄米からなる抗酸化性組成物が開示されている。
【特許文献１】特開昭５９−５９１７７号公報
【特許文献２】特開昭６３−６３６２０号公報
【特許文献３】特開平９−１５４５３５号公報
【発明の開示】
【発明が解決しようとする課題】
【０００３】
　ビフィズス菌は経口的に服用しても腸内に定着しにくいといわれており、服用後腸内において増殖させることが課題となっている。また、飲料としての形態は持ち運びに難点があり、錠剤は服用時に水を必要とするという欠点があり、剤形の点からも更に改善の余地があった。また前述の文献には、腸内浄化作用、整腸作用、抗酸化作用、抗潰瘍作用等を有することが示されているが、ビフィズス菌を腸内において増殖させる手段は開示されていない。本発明者は、これら課題を解決すべく鋭意検討し、以下に示す手段により課題を解決できることを見出し本発明を完成した。
【課題を解決するための手段】
【０００４】
　本発明は、ビフィズス菌に、ビタミンＢ２、ビタミンＢ６及びビタミンＣを配合することによるビフィズス菌の増殖促進方法、ビタミンＢ２、ビタミンＢ６及びビタミンＣを含有する、ビフィズス菌の増殖促進剤、並びにビフィズス菌、ビタミンＢ２、ビタミンＢ６及びビタミンＣを含有する組成物又はチュアブル剤である。
【発明の効果】
【０００５】
　本発明の増殖促進方法及び増殖促進剤により、ビフィズス菌を腸内において有効に増殖させることができる。
【発明を実施するための最良の形態】
【０００６】
　本発明におけるビフィズス菌とは、ビフィドバクテリウム属に属する菌を意味し、例えばビフィダム菌、ブレーベ菌、ロンガム菌又はアンドレッセンティス菌等を挙げることができ、特にBifidobacterium　longum　NTが好ましい。
【０００７】
　本発明におけるビフィズス菌の含有量は、それぞれ一回に服用される菌数では通常１０5〜１０9cfuであり、好ましくは１０6〜１０9cfuである。重量に換算すると、一回の服用当たり１０〜２００ｍｇ、好ましくは２０〜１５０ｍｇである。
【０００８】
　本発明においては、ビフィズス菌に、ビタミンＢ２、ビタミンＢ６及びビタミンＣを添加することにより、ビフィズス菌を増殖促進することができる。ビタミンＢ２はリボフラビンとも呼ばれ、リン酸リボフラビン、補酵素型リボフラビン等の種類があるが、特に遊離体が好ましい。ビタミンＢ６は、ピリドキシンとも呼ばれ、ビタミンＣは、アスコルビン酸とも呼ばれる。本発明においては、ビタミンＢ２は一回の服用当たり５〜３０ｍｇ、好ましくは１０〜２０ｍｇであり、ビタミンＢ６は一回の服用当たり１０〜１００ｍｇ、好ましくは１５〜５０ｍｇであり、ビタミンＣは一回の服用当たり１００〜１０００ｍｇ、好ましくは２００〜５００ｍｇである。
【０００９】
　本発明では、ビフィズス菌と、ビタミンＢ２、ビタミンＢ６及びビタミンＣを含有する組成物又はチュアブル剤を服用すると、消化管内においてビフィズス菌の増殖が促進され、排便促進作用、整腸作用がもたらされるが、これらの作用が本願発明の目的である。
【００１０】
　本発明にかかる組成物は、例えば通常の錠剤とするためには、乳糖、デンプン、結晶セルロース等の賦形剤、ヒドロキシプロピルセルロース等の結合剤を混合して溶媒を用いて造粒、乾燥後、ステアリン酸等の滑沢剤を添加して打錠し通常の錠剤を製造することができる。
【００１１】
　更に本発明にかかるチュアブル剤は、ビフィズス菌、ビタミンＢ２、ビタミンＢ６及びビタミンＣを含有するチュアブル剤である。本発明にかかるチュアブル剤を製造するには、ビタミンＢ２、ビタミンＢ６及びビタミンＣにショ糖、マンニトール等の甘味を有する賦形剤とヒドロキシプロピルセルロース等の結合剤、更に必要に応じ矯味矯臭剤を混合し、溶媒を加えて造粒、乾燥後、ビフィズス菌、滑沢剤を添加、打錠して得ることができる。打錠圧は一般の錠剤を製造するよりも高くし、一般に崩壊剤を使用しない。チュアブル剤とは、口中において徐々に溶かすか又はかみ砕いて服用するものであり、日本薬局方製剤総則におけるトローチ剤と同様な製剤であるが、本発明にかかるチュアブル剤は、口腔粘膜又は咽頭粘膜局所に対する作用を期待するものではない。本発明にかかる組成物又はチュアブル剤を服用すると、消化管内においてビフィズス菌の増殖が促進され、排便促進作用、整腸作用がもたらされるため、本発明は、ビフィズス菌、ビタミンＢ２、ビタミンＢ６及びビタミンＣを含有する排便促進剤又は整腸剤を提供するものである。
【実施例】
【００１２】
　以下に、実施例により本発明を説明する。
【００１３】
　実施例１
　ＭＣＭ培地１Ｌに表１で示す量のビタミンＢ２、ビタミンＢ６及びビタミンＣを加えビフィズス菌（Bifidobacterium　longum　NT）約１０8cfu/Lを接種し、培地１０ｍＬを入れた試験管中で３７℃２４時間静置嫌気培養した。接種時と培養２４時間後の生菌数を測定した結果を表２に示した。表２より明らかなようにビタミン無添加ではビフィズス菌の増殖はわずかであったが、ビタミン添加によりビフィズス菌は約１００倍に増殖した。以上より、ビタミンＢ２、ビタミンＢ６及びビタミンＣにビフィズス菌の増殖を促進する作用を有することが明らかである。
【００１４】
【表１】
2004026840.tif 000002
【００１５】
【表２】
2004026840.tif 000003
(57)【要約】【課題】充分なフィルム強度を有するフィルムの製造が可能な回収ＰＥＴ等のポリエステル樹脂を含む樹脂組成物を提供すること。【解決手段】ポリエステル樹脂と、エチレン−酢酸ビニル共重合体及び／又はエチレン−アクリル酸エステル共重合体とからなるポリエステル樹脂組成物。【選択図】　なし【特許請求の範囲】
【請求項１】
ポリエステル樹脂と、エチレン−酢酸ビニル共重合体及び／又はエチレン−アクリル酸エステル共重合体とからなるポリエステル樹脂組成物。
【請求項２】
請求項１に記載のポリエステル樹脂組成物からなるフィルム。
【発明の詳細な説明】
【０００１】
【発明の属する技術分野】
本発明はポリエステル樹脂組成物に関し、詳しくは回収ＰＥＴなどのポリエステル樹脂を用いたフィルム化可能な樹脂組成物に関する。
【０００２】
【従来の技術】
異種のポリマーをブレンドして複合化する目的は、それぞれの均一組成系では互いに持っていない性質を複合化により補い合うことによって物性的に元の各ポリマーより優れた性質を持たすことにある。例えば、ＰＥＴ（ポリエチレンテレフタレート）に代表されるポリエステル樹脂とポリオレフィン樹脂とを複合化することによって、ポリエステルには無い粘性（粘り気）、ポリオレフィンには無い高い耐熱性などの特性が期待される。
【０００３】
容器包装リサイクル法の施行から回収されたＰＥＴボトルが増大し、その利用法の一つとしてＰＥＴボトルをごみ袋用などのフィルムとして再利用しようとする試みが検討されている。前述のようにＰＥＴ単体のフィルムでは粘りが無く、袋として利用できないことからフィルム物性に最適なポリエチレン等のポリオレフィンを複合化してフィルム化することが試みられているが、充分なフィルム強度を持つフィルムの製造が可能な樹脂組成物は得られていない。
【０００４】
【発明が解決しようとする課題】
従って、本発明の目的は、充分な強度を有するフィルムの製造が可能な回収ＰＥＴ等のポリエステル樹脂を含む樹脂組成物を提供することである。
【０００５】
【課題を解決するための手段】
上記目的は以下の本発明によって達せられる。即ち、本発明は、ポリエステル樹脂と、エチレン−酢酸ビニル共重合体及び／又はエチレン−アクリル酸エステル共重合体とからなるポリエステル樹脂組成物である。
【０００６】
【発明の実施の形態】
次に本発明をさらに詳細に説明する。
本発明のポリエステル樹脂組成物は、ポリエステル樹脂と、エチレン−酢酸ビニル共重合体及び／又はエチレン−アクリル酸エステル共重合体とからなり、充分なフィルム強度（引張強度やシール強度等）を持つフィルムの製造が可能な樹脂組成物およびこの樹脂組成物からなるフィルムである。
【０００７】
本発明で使用するポリエステル樹脂としては、ポリエチレンテレフタレート（ＰＥＴ）やポリブチレンテレフタレート（ＰＢＴ）等の従来公知のポリエステル樹脂がいずれも使用できるが、資源の有効利用の観点から、ボトル等の回収されたＰＥＴの使用が好ましい。
【０００８】
本発明で使用するエチレン−酢酸ビニル共重合体としては、酢酸ビニル含有量が１〜５０重量％程度、好ましくは５〜２０重量％の通常ＥＶＡと称されるエチレンとの共重合体が挙げられる。また、本発明で使用するエチレン−アクリル酸エステル共重合体としては、メチルアクリレート、エチルアクリレート等のアクリル酸低級アルキルエステルの含有量が１〜５０重量％程度好ましくは５〜２５重量％のエチレンとの共重合体が挙げられる。これらの共重合体は、いずれも市販されており、入手可能である。
【０００９】
本発明の樹脂組成物は、ポリエステル樹脂１０〜９５重量％、好ましくは５０〜８０重量％と、エチレン−酢酸ビニル共重合体及び／又はエチレン−アクリル酸エステル共重合体５〜９０重量％、好ましくは２０〜５０重量％（これらのポリマーの合計は１００重量％である。）から構成される。上記の共重合体の使用割合が少なすぎると充分な伸度、耐引き裂き性およびヒートシール性を有するフィルムが得られ難く、多すぎると充分な引張強度が得られない。尚、上記の２種の共重合体を併用する場合、それぞれの使用割合は、特に限定されない。
【００１０】
本発明の樹脂組成物は、上記のポリマー成分を通常の樹脂加工と同様に、例えば、２軸押出機等の混合機を用いて混合・混練することで得られるが、通常、造粒（ペレット）される。本発明の樹脂組成物には、必要により、有機顔料、無機顔料、染料などの着色剤、酸化防止剤や紫外線吸収剤、光安定剤、難燃剤、滑剤等の添加剤、との併用も可能である。更に、本発明の効果が損なわれない範囲で、ＬＤＰＥ、ＬＬＤＰＥ、ＰＰやＰＭＡ（ポリメチルペンテン）等のオレフィン樹脂等を添加することもできる。
【００１１】
【実施例】
以下に実施例および比較例をあげて本発明を具体的に説明する。
【００１２】
実施例１〜３、比較例１
表１に示す配合（配合量は重量部である。）で各成分ポリマーを４５ｍｍ２軸押出機（Ｌ／Ｄ＝２２：池貝製作所製）　で混合・混練して樹脂組成物（コンパウンド）を作製し、得られた各コンパウンドを２５ｍｍインフレーション成形機（シンコーマシマリー社製）を用いて２６０〜２７０℃でフィルム（約２５μｍ厚さ）を成形した。
得られたフィルムから引張試験用のダンベル状試験片を打ち抜き、引張伸度（引張り速度５０ｍｍ／ｍｉｎ）を測定した。耐引き裂き性は得られたフィルムを延伸方向に対して垂直と平行な方向でフィルムの裂けやすさを手で引き裂いて評価した。ヒートシール性をヒートシーラーを用いて試験した。以上の結果を表１に示す。
【００１３】
2004026867.tif 000002
【００１４】
表１に示す結果から、ＰＥＴにＥＶＡあるいはＥＥＡを添加して複合化した樹脂組成物（実施例１〜３）のフィルム物性は、オレフィン系樹脂を複合化した場合（比較例１）に比べて引張伸度、ヒートシール性、耐引き裂き性において改善されていることが分かる。
【００１５】
【発明の効果】
以上の本発明によれば、引張伸度、ヒートシール性および耐引き裂き性に優れたフィルムの製造が可能なポリエステル樹脂組成物が提供される。従って、本発明によって回収ＰＥＴボトルをごみ袋やレジ袋などとして再使用することが可能となった。
【手続補正書】
【提出日】平成14年7月25日(2002.7.25)
【手続補正１】
【補正対象書類名】明細書
【補正対象項目名】００１０
【補正方法】変更
【補正の内容】
【００１０】
本発明の樹脂組成物は、上記のポリマー成分を通常の樹脂加工と同様に、例えば、２軸押出機等の混合機を用いて混合・混練することで得られるが、通常、造粒（ペレット）される。本発明の樹脂組成物には、必要により、有機顔料、無機顔料、染料などの着色剤、酸化防止剤や紫外線吸収剤、光安定剤、難燃剤、滑剤等の添加剤、との併用も可能である。更に、本発明の効果が損なわれない範囲で、ＬＤＰＥ、ＬＬＤＰＥ、ＰＰやＰＭＰ（ポリメチルペンテン）等のオレフィン樹脂等を添加することもできる。